(57)【要約】【課題】１人もしくは１グループによる単独の努力では埋もれてしまう傾向にある優れた音楽アーティストによる楽曲をヒットに導くことを支援する手段を提供する。【解決手段】アーティストはアーティスト端末装置１２を用いて、楽曲データをサーバ装置１１にアップロードする。コメンテーターはコメンテーター端末装置１３を用いて、気に入った楽曲に関するコメントを示すコメントデータをサーバ装置１１にアップロードする。リスナーはリスナー端末装置１４を用いて、コメンテーターによるコメントを参考としつつ気に入った楽曲の楽曲データをサーバ装置１１からダウンロードする。楽曲データのダウンロード数に基づき、サーバ装置１１は楽曲の評価を示す獲得ポイントを算出するとともに、コメンテーターに対し支払われるべき印税の算出を行う。【選択図】図１
2012220744.tif 000002
【特許請求の範囲】
【請求項１】
サーバ装置が、１以上の第１の端末装置のうちのいずれかの第１の端末装置から楽曲を示す楽曲データを受信する楽曲データアップロードステップと、
前記サーバ装置が、前記１以上の第１の端末装置のうちのいずれかの第１の端末装置から楽曲データを受信した場合、当該楽曲データの送信元の第１の端末装置を識別する第１の端末識別データと、当該楽曲データとを対応付けて記憶する楽曲データ記憶ステップと、
前記サーバ装置が、１以上の第２の端末装置のうちのいずれかの第２の端末装置から、前記サーバ装置において記憶されている１以上の楽曲データのうちの一の楽曲データにより示される楽曲に関連するデータである楽曲関連データを受信する楽曲関連データアップロードステップと、
前記サーバ装置が、前記楽曲関連データアップロードステップにおいて一の楽曲データにより示される楽曲に関連する楽曲関連データを受信した場合、当該楽曲関連データの送信元の第２の端末装置を識別する第２の端末識別データと、当該一の楽曲データを識別する楽曲識別データと、当該楽曲関連データとを対応付けて記憶する楽曲関連データ記憶ステップと、
前記サーバ装置が、１以上の第３の端末装置のうちのいずれかの第３の端末装置に対し、前記サーバ装置において記憶されている１以上の楽曲関連データのうちの一の楽曲関連データを送信する楽曲関連データダウンロードステップと、
前記サーバ装置が、前記サーバ装置に記憶されている１以上の楽曲データの各々に関し、当該楽曲データを識別する楽曲識別データと対応付けて記憶されている１以上の楽曲関連データのいずれかを過去の所定期間内に前記楽曲関連データダウンロードステップにおいて任意の第３の端末装置に対し送信した回数に基づき、当該楽曲データの評価を示す数値を算出し、当該算出した数値を示す評価データを生成する評価算出ステップと
を備える楽曲の評価方法。
【請求項２】
前記楽曲関連データは、楽曲データにより示される楽曲に関する評論を示すデータであり、
前記サーバ装置が、前記楽曲関連データダウンロードステップにおける一の楽曲関連データの送信先の第３の端末装置から楽曲データの送信を要求する要求データを受信する要求データ受信ステップと、
前記サーバ装置が、前記要求データによる要求に応じて当該一の楽曲関連データに対応付けて記憶している楽曲識別データにより識別される楽曲データを前記要求データの送信元の第３の端末装置に送信する楽曲データダウンロードステップと
を備え、
前記評価算出ステップにおいて、前記サーバ装置は、過去の所定期間内に前記楽曲関連データダウンロードステップにおいて楽曲関連データを送信した回数に代えて、過去の所定期間内に前記楽曲データダウンロードステップにおいて楽曲データを送信した回数に基づき、前記評価を示す数値を算出する
請求項１に記載の評価方法。
【請求項３】
前記サーバ装置が、前記サーバ装置に記憶されている１以上の楽曲関連データの各々に関し、過去の所定期間内に、前記楽曲関連データダウンロードステップにおける当該楽曲関連データの送信に応じて前記要求データ受信ステップにおいて任意の第３の端末装置から送信されてきた要求データに応じて前記楽曲データダウンロードステップにおいて楽曲データを送信した回数に基づき、当該楽曲関連データに対応付けて記憶されている第２の端末識別データにより識別される第２の端末装置のユーザに対し支払われるべき対価を示す数値を算出し、当該算出した数値を示す対価データを生成する対価算出ステップ
を備える請求項２に記載の評価方法。
【請求項４】
前記楽曲データは、楽曲の伴奏および歌詞を示し、
前記楽曲関連データは、前記楽曲データにより示される伴奏および歌詞に従い演奏された歌唱を含む楽曲を示す歌唱楽曲データであり、
前記サーバ装置が、前記１以上の第２の端末装置のうちのいずれかの第２の端末装置に対し、前記サーバ装置において記憶されている１以上の楽曲データのうちの一の楽曲データを送信する楽曲データダウンロードステップを備える
請求項１に記載の評価方法。
【請求項５】
前記サーバ装置が、前記楽曲データダウンロードステップにおいて第２の端末装置に対し送信した楽曲データにより示される伴奏と、前記楽曲関連データアップロードステップにおいて当該第２の端末装置から受信した楽曲関連データにより示される歌唱とを合成することにより歌唱を含む楽曲を示す歌唱楽曲データを生成する楽曲合成ステップを備え、
前記楽曲関連データ記憶ステップにおいて、前記サーバ装置は、前記楽曲関連データアップロードステップにおいて受信した楽曲関連データに代えて前記楽曲合成ステップにおいて生成した歌唱楽曲データを楽曲関連データとして記憶する
請求項４に記載の評価方法。
【請求項６】
前記サーバ装置が、前記サーバ装置に記憶されている１以上の楽曲データの各々に関し、当該楽曲データを識別する楽曲識別データと対応付けて記憶されている１以上の楽曲関連データのいずれかを過去の所定期間内に前記楽曲関連データダウンロードステップにおいて任意の第３の端末装置に対し送信した回数に基づき、当該楽曲データに対応付けて記憶されている第１の端末識別データにより識別される第１の端末装置のユーザに対し支払われるべき対価を示す数値を算出し、当該算出した数値を示す対価データを生成する対価算出ステップ
を備える請求項４または５に記載の評価方法。
【請求項７】
他の通信装置から送信されてくるデータを受信する受信手段と、データを記憶する記憶手段と、データを他の通信装置に送信する送信手段と、演算処理を行う演算手段とを備え、
前記受信手段は、１以上の第１の端末装置のうちのいずれかの第１の端末装置から楽曲を示す楽曲データを受信し、
前記記憶手段は、前記受信手段が前記１以上の第１の端末装置のうちのいずれかの第１の端末装置から楽曲データを受信した場合、当該楽曲データの送信元の第１の端末装置を識別する第１の端末識別データと、当該楽曲データとを対応付けて記憶し、
前記受信手段は、１以上の第２の端末装置のうちのいずれかの第２の端末装置から、前記記憶手段により記憶されている１以上の楽曲データのうちの一の楽曲データにより示される楽曲に関連するデータである楽曲関連データを受信し、
前記記憶手段は、前記受信手段が一の楽曲データにより示される楽曲に関連する楽曲関連データを受信した場合、当該楽曲関連データの送信元の第２の端末装置を識別する第２の端末識別データと、当該一の楽曲データを識別する楽曲識別データと、当該楽曲関連データとを対応付けて記憶し、
前記送信手段は、１以上の第３の端末装置のうちのいずれかの第３の端末装置に対し、前記記憶手段により記憶されている１以上の楽曲関連データのうちの一の楽曲関連データを送信し、
前記演算手段は、前記記憶手段により記憶されている１以上の楽曲データの各々に関し、当該楽曲データを識別する楽曲識別データと対応付けて前記記憶手段に記憶されている楽曲関連データのいずれかを過去の所定期間内に任意の第３の端末装置に対し送信した回数に基づき、当該楽曲データの評価を示す数値を算出し、当該算出した数値を示す評価データを生成する
サーバ装置。
【請求項８】
前記楽曲関連データは、楽曲データにより示される楽曲に関する評論を示すデータであり、
前記受信手段は、前記送信手段による一の楽曲関連データの送信先の第３の端末装置から楽曲データの送信を要求する要求データを受信し、
前記送信手段は、前記要求データによる要求に応じて当該一の楽曲関連データに対応付けて前記記憶手段に記憶されている楽曲識別データにより識別される楽曲データを前記要求データの送信元の第３の端末装置に送信し、
前記演算手段は、過去の所定期間内に前記送信手段が任意の第３の端末装置に対し楽曲関連データを送信した回数に代えて、過去の所定期間内に前記送信手段が任意の第３の端末装置に対し楽曲データを送信した回数に基づき、前記評価を示す数値を算出する
請求項７に記載のサーバ装置。
【請求項９】
前記演算手段は、前記記憶手段により記憶されている１以上の楽曲関連データの各々に関し、過去の所定期間内に、当該楽曲関連データの送信に応じて任意の第３の端末装置から送信されてきた要求データに応じて楽曲データを送信した回数に基づき、当該楽曲関連データに対応付けて前記記憶手段により記憶されている第２の端末識別データにより識別される第２の端末装置のユーザに対し支払われるべき対価を示す数値を算出し、当該算出した数値を示す対価データを生成する
請求項８に記載のサーバ装置。
【請求項１０】
前記楽曲データは、楽曲の伴奏および歌詞を示し、
前記楽曲関連データは、前記楽曲データにより示される伴奏および歌詞に従い演奏された歌唱を含む楽曲を示す歌唱楽曲データであり、
前記送信手段は、前記１以上の第２の端末装置のうちのいずれかの第２の端末装置に対し、前記記憶手段により記憶されている１以上の楽曲データのうちの一の楽曲データを送信する
請求項７に記載のサーバ装置。
【請求項１１】
前記演算手段は、前記送信手段が第２の端末装置に対し送信した楽曲データにより示される伴奏と、前記受信手段が当該第２の端末装置から受信した楽曲関連データにより示される歌唱とを合成することにより歌唱を含む楽曲を示す歌唱楽曲データを生成し、
前記記憶手段は、前記受信手段が受信した楽曲関連データに代えて前記演算手段が生成した歌唱楽曲データを楽曲関連データとして記憶する
請求項１０に記載のサーバ装置。
【請求項１２】
前記演算手段は、前記記憶手段により記憶されている１以上の楽曲データの各々に関し、当該楽曲データを識別する楽曲識別データと対応付けて前記記憶手段により記憶されている１以上の楽曲関連データのいずれかを過去の所定期間内に前記送信手段が任意の第３の端末装置に対し送信した回数に基づき、当該楽曲データに対応付けて前記記憶手段により記憶されている第１の端末識別データにより識別される第１の端末装置のユーザに対し支払われるべき対価を示す数値を算出し、当該算出した数値を示す対価データを生成する
請求項１０または１１に記載の評価方法。
【請求項１３】
他の通信装置との間でデータ通信を行う通信手段を備えるコンピュータを
請求項７乃至１２のいずれかに記載のサーバ装置が備える前記受信手段、前記記憶手段、前記送信手段、前記演算手段として機能させるプログラム。
【発明の詳細な説明】
【技術分野】
【０００１】
本発明は、ネットワークを利用して楽曲の評価を行う仕組みを提供する技術に関する。
【背景技術】
【０００２】
近年、インターネットおよび携帯電話網を介したデータの送受信の仕組みが普及するに伴い、音楽アーティストが自分の演奏による楽曲を示す楽曲データを自分のＰＣ（Personal Computer）からネットワーク上の所定のサーバ装置にアップロードし、一般のリスナーが携帯電話機等の端末装置を用いてサーバ装置にアクセスし、聴きたいと思う楽曲の楽曲データを自分の端末装置にダウンロードすることで、楽曲の再生を行う、ということが広く行われている。
【０００３】
上記のような仕組みを用いれば、無名の音楽アーティストであっても、広く世間一般のリスナーに対し自分の楽曲を公開することができる。そのような無名の音楽アーティストによる楽曲の中には、多くのリスナーの心を掴んで、非常に多くのダウンロード数を稼ぐものも登場する。そのような人気のある楽曲に関しては、大手音楽プロダクション等を介したいわゆるメジャーデビューを果たすものもある。
【０００４】
このように、ネットワークを介して無名の音楽アーティストの楽曲の中から、一般の視聴者の評価により優れた楽曲を選定する仕組みを提案するものとして、例えば特許文献１および特許文献２がある。
【先行技術文献】
【特許文献】
【０００５】
【特許文献１】特開２００３−１４１３０８号公報
【特許文献２】特開２００５−２０２８２６号公報
【発明の概要】
【発明が解決しようとする課題】
【０００６】
優れた楽曲は必ずしも１人の天才により生み出されるものではない。楽曲の創作には、作曲、作詞、編曲、演奏といった様々な要素が含まれるが、それらの全ての才能に恵まれた音楽アーティストは極めて少ない。特に、作曲、作詞、編曲を行うソングライターと、演奏を行うパフォーマー（歌唱演奏を行うシンガーや、器楽演奏を行うプレイヤー）は大きく異なる才能が要求されるため、これらの両方の才能に恵まれた音楽アーティストは希少である。
【０００７】
また、優れた楽曲が必ずしもヒットするとは限らない。無名の音楽アーティストが自分の楽曲を手軽にアップロードし公開できるようになったことは、好ましい側面と同時に、リスナーに対し膨大な楽曲の中から自分の好みに合う楽曲を発掘するという大きな負荷を強いる、という望ましくない側面ももたらしている。従って、一般のリスナーをその人の好みに合う楽曲へと導くガイドがいなければ、多くの優れた楽曲は膨大な楽曲の中に埋もれてしまう。
【０００８】
上記の事情に鑑み、本発明は、１人もしくは１グループによる単独の努力では埋もれてしまう傾向にある優れた音楽アーティストによる楽曲をヒットに導くことを支援する手段を提供することを目的とする。
【課題を解決するための手段】
【０００９】
上記の課題を解決するため、本発明は、
サーバ装置が、１以上の第１の端末装置のうちのいずれかの第１の端末装置から楽曲を示す楽曲データを受信する楽曲データアップロードステップと、
前記サーバ装置が、前記１以上の第１の端末装置のうちのいずれかの第１の端末装置から楽曲データを受信した場合、当該楽曲データの送信元の第１の端末装置を識別する第１の端末識別データと、当該楽曲データとを対応付けて記憶する楽曲データ記憶ステップと、
前記サーバ装置が、１以上の第２の端末装置のうちのいずれかの第２の端末装置から、前記サーバ装置において記憶されている１以上の楽曲データのうちの一の楽曲データにより示される楽曲に関連するデータである楽曲関連データを受信する楽曲関連データアップロードステップと、
前記サーバ装置が、前記楽曲関連データアップロードステップにおいて一の楽曲データにより示される楽曲に関連する楽曲関連データを受信した場合、当該楽曲関連データの送信元の第２の端末装置を識別する第２の端末識別データと、当該一の楽曲データを識別する楽曲識別データと、当該楽曲関連データとを対応付けて記憶する楽曲関連データ記憶ステップと、
前記サーバ装置が、１以上の第３の端末装置のうちのいずれかの第３の端末装置に対し、前記サーバ装置において記憶されている１以上の楽曲関連データのうちの一の楽曲関連データを送信する楽曲関連データダウンロードステップと、
前記サーバ装置が、前記サーバ装置に記憶されている１以上の楽曲データの各々に関し、当該楽曲データを識別する楽曲識別データと対応付けて記憶されている１以上の楽曲関連データのいずれかを過去の所定期間内に前記楽曲関連データダウンロードステップにおいて任意の第３の端末装置に対し送信した回数に基づき、当該楽曲データの評価を示す数値を算出し、当該算出した数値を示す評価データを生成する評価算出ステップと
を備える楽曲の評価方法を提供する。（第１の実施態様）
【００１０】
上記の第１の実施態様において、
前記楽曲関連データは、楽曲データにより示される楽曲に関する評論を示すデータであり、
前記サーバ装置が、前記楽曲関連データダウンロードステップにおける一の楽曲関連データの送信先の第３の端末装置から楽曲データの送信を要求する要求データを受信する要求データ受信ステップと、
前記サーバ装置が、前記要求データによる要求に応じて当該一の楽曲関連データに対応付けて記憶している楽曲識別データにより識別される楽曲データを前記要求データの送信元の第３の端末装置に送信する楽曲データダウンロードステップと
を備え、
前記評価算出ステップにおいて、前記サーバ装置は、過去の所定期間内に前記楽曲関連データダウンロードステップにおいて楽曲関連データを送信した回数に代えて、過去の所定期間内に前記楽曲データダウンロードステップにおいて楽曲データを送信した回数に基づき、前記評価を示す数値を算出する
構成が採用されてもよい。（第２の実施態様）
【００１１】
上記の第２の実施態様において、
前記サーバ装置が、前記サーバ装置に記憶されている１以上の楽曲関連データの各々に関し、過去の所定期間内に、前記楽曲関連データダウンロードステップにおける当該楽曲関連データの送信に応じて前記要求データ受信ステップにおいて任意の第３の端末装置から送信されてきた要求データに応じて前記楽曲データダウンロードステップにおいて楽曲データを送信した回数に基づき、当該楽曲関連データに対応付けて記憶されている第２の端末識別データにより識別される第２の端末装置のユーザに対し支払われるべき対価を示す数値を算出し、当該算出した数値を示す対価データを生成する対価算出ステップ
を備える構成が採用されてもよい。（第３の実施態様）
【００１２】
上記の第１の実施態様において、
前記楽曲データは、楽曲の伴奏および歌詞を示し、
前記楽曲関連データは、前記楽曲データにより示される伴奏および歌詞に従い演奏された歌唱を含む楽曲を示す歌唱楽曲データであり、
前記サーバ装置が、前記１以上の第２の端末装置のうちのいずれかの第２の端末装置に対し、前記サーバ装置において記憶されている１以上の楽曲データのうちの一の楽曲データを送信する楽曲データダウンロードステップを備える
構成が採用されてもよい。（第４の実施態様）
【００１３】
上記の第４の実施態様において、
前記サーバ装置が、前記楽曲データダウンロードステップにおいて第２の端末装置に対し送信した楽曲データにより示される伴奏と、前記楽曲関連データアップロードステップにおいて当該第２の端末装置から受信した楽曲関連データにより示される歌唱とを合成することにより歌唱を含む楽曲を示す歌唱楽曲データを生成する楽曲合成ステップを備え、
前記楽曲関連データ記憶ステップにおいて、前記サーバ装置は、前記楽曲関連データアップロードステップにおいて受信した楽曲関連データに代えて前記楽曲合成ステップにおいて生成した歌唱楽曲データを楽曲関連データとして記憶する
構成が採用されてもよい。（第５の実施態様）
【００１４】
上記の第４または第５の実施態様において、
前記サーバ装置が、前記サーバ装置に記憶されている１以上の楽曲データの各々に関し、当該楽曲データを識別する楽曲識別データと対応付けて記憶されている１以上の楽曲関連データのいずれかを過去の所定期間内に前記楽曲関連データダウンロードステップにおいて任意の第３の端末装置に対し送信した回数に基づき、当該楽曲データに対応付けて記憶されている第１の端末識別データにより識別される第１の端末装置のユーザに対し支払われるべき対価を示す数値を算出し、当該算出した数値を示す対価データを生成する対価算出ステップ
を備える構成が採用されてもよい。（第６の実施態様）
【００１５】
また本発明は、
他の通信装置から送信されてくるデータを受信する受信手段と、データを記憶する記憶手段と、データを他の通信装置に送信する送信手段と、演算処理を行う演算手段とを備え、
前記受信手段は、１以上の第１の端末装置のうちのいずれかの第１の端末装置から楽曲を示す楽曲データを受信し、
前記記憶手段は、前記受信手段が前記１以上の第１の端末装置のうちのいずれかの第１の端末装置から楽曲データを受信した場合、当該楽曲データの送信元の第１の端末装置を識別する第１の端末識別データと、当該楽曲データとを対応付けて記憶し、
前記受信手段は、１以上の第２の端末装置のうちのいずれかの第２の端末装置から、前記記憶手段により記憶されている１以上の楽曲データのうちの一の楽曲データにより示される楽曲に関連するデータである楽曲関連データを受信し、
前記記憶手段は、前記受信手段が一の楽曲データにより示される楽曲に関連する楽曲関連データを受信した場合、当該楽曲関連データの送信元の第２の端末装置を識別する第２の端末識別データと、当該一の楽曲データを識別する楽曲識別データと、当該楽曲関連データとを対応付けて記憶し、
前記送信手段は、１以上の第３の端末装置のうちのいずれかの第３の端末装置に対し、前記記憶手段により記憶されている１以上の楽曲関連データのうちの一の楽曲関連データを送信し、
前記演算手段は、前記記憶手段により記憶されている１以上の楽曲データの各々に関し、当該楽曲データを識別する楽曲識別データと対応付けて前記記憶手段に記憶されている楽曲関連データのいずれかを過去の所定期間内に任意の第３の端末装置に対し送信した回数に基づき、当該楽曲データの評価を示す数値を算出し、当該算出した数値を示す評価データを生成する
サーバ装置を提供する。（第７の実施態様）
【００１６】
上記の第７の実施態様において、
前記楽曲関連データは、楽曲データにより示される楽曲に関する評論を示すデータであり、
前記受信手段は、前記送信手段による一の楽曲関連データの送信先の第３の端末装置から楽曲データの送信を要求する要求データを受信し、
前記送信手段は、前記要求データによる要求に応じて当該一の楽曲関連データに対応付けて前記記憶手段に記憶されている楽曲識別データにより識別される楽曲データを前記要求データの送信元の第３の端末装置に送信し、
前記演算手段は、過去の所定期間内に前記送信手段が任意の第３の端末装置に対し楽曲関連データを送信した回数に代えて、過去の所定期間内に前記送信手段が任意の第３の端末装置に対し楽曲データを送信した回数に基づき、前記評価を示す数値を算出する
構成が採用されてもよい。（第８の実施態様）。
【００１７】
上記の第８の実施態様において、
前記演算手段は、前記記憶手段により記憶されている１以上の楽曲関連データの各々に関し、過去の所定期間内に、当該楽曲関連データの送信に応じて任意の第３の端末装置から送信されてきた要求データに応じて楽曲データを送信した回数に基づき、当該楽曲関連データに対応付けて前記記憶手段により記憶されている第２の端末識別データにより識別される第２の端末装置のユーザに対し支払われるべき対価を示す数値を算出し、当該算出した数値を示す対価データを生成する
構成が採用されてもよい。（第９の実施態様）。
【００１８】
上記の第７の実施態様において、
前記楽曲データは、楽曲の伴奏および歌詞を示し、
前記楽曲関連データは、前記楽曲データにより示される伴奏および歌詞に従い演奏された歌唱を含む楽曲を示す歌唱楽曲データであり、
前記送信手段は、前記１以上の第２の端末装置のうちのいずれかの第２の端末装置に対し、前記記憶手段により記憶されている１以上の楽曲データのうちの一の楽曲データを送信する
構成が採用されてもよい。（第１０の実施態様）。
【００１９】
上記の第１０の実施態様において、
前記演算手段は、前記送信手段が第２の端末装置に対し送信した楽曲データにより示される伴奏と、前記受信手段が当該第２の端末装置から受信した楽曲関連データにより示される歌唱とを合成することにより歌唱を含む楽曲を示す歌唱楽曲データを生成し、
前記記憶手段は、前記受信手段が受信した楽曲関連データに代えて前記演算手段が生成した歌唱楽曲データを楽曲関連データとして記憶する
構成が採用されてもよい。（第１１の実施態様）。
【００２０】
上記の第１０または第１１の実施態様において、
前記演算手段は、前記記憶手段により記憶されている１以上の楽曲データの各々に関し、当該楽曲データを識別する楽曲識別データと対応付けて前記記憶手段により記憶されている１以上の楽曲関連データのいずれかを過去の所定期間内に前記送信手段が任意の第３の端末装置に対し送信した回数に基づき、当該楽曲データに対応付けて前記記憶手段により記憶されている第１の端末識別データにより識別される第１の端末装置のユーザに対し支払われるべき対価を示す数値を算出し、当該算出した数値を示す対価データを生成する
構成が採用されてもよい。（第１２の実施態様）。
【００２１】
また、本発明は、
他の通信装置との間でデータ通信を行う通信手段を備えるコンピュータを
上記の第７乃至第１２のいずれかの実施態様にかかるサーバ装置が備える前記受信手段、前記記憶手段、前記送信手段、前記演算手段として機能させるプログラムを提供する。（第１３の実施態様）
【発明の効果】
【００２２】
上記の第１の実施態様にかかる楽曲の評価方法または上記の第７の実施態様にかかるサーバ装置によれば、例えば楽曲に対するコメントや楽曲に歌唱を付加した歌唱付き楽曲などを示す楽曲関連データのダウンロード数に応じて、楽曲データにより示される楽曲の評価が行われる。その結果、例えば優れたコメンテーターによるコメントや優れたシンガーによる歌唱が伴うことで、優れた楽曲が埋没せず評価される可能性が高まる。
【００２３】
上記の第２の実施態様にかかる楽曲の評価方法または上記の第８の実施態様にかかるサーバ装置によれば、コメンテーターによるコメントを読んだリスナーにより、例えばそのコメントにリンクされている楽曲データのダウンロードが行われると、そのダウンロード数に応じて、ダウンロードされた楽曲データにより示される楽曲の評価が行われる。従って、例えば複数のコメンテーターのコメントのいずれに導かれて楽曲データのダウンロードが行われた場合であっても、その楽曲データにより示される楽曲の評価が統一的に行われる。その結果、多数の無名コメンテーターによる優れたコメントにより、優れた楽曲へとリスナーが導かれ、優れた楽曲が埋没せず評価される可能性が高まる。
【００２４】
上記の第３の実施態様にかかる楽曲の評価方法または上記の第９の実施態様にかかるサーバ装置によれば、楽曲データのダウンロードに伴い、楽曲データのダウンロードを導いたコメンテーターに対しダウンロード数に応じた対価が自動的に計算される。その結果、コメンテーターによる楽曲に関する優れたコメントの提供が促される。
【００２５】
上記の第４の実施態様にかかる楽曲の評価方法または上記の第１０の実施態様にかかるサーバ装置によれば、例えば、ソングライターにより提供された楽曲の伴奏および歌詞を示す楽曲データをダウンロードしたパフォーマーが歌唱入り楽曲を示す歌唱楽曲データをアップロードし、リスナーが歌唱楽曲データをダウンロードすると、その歌唱楽曲データのダウンロード数に応じて、楽曲データにより示される歌唱なしの楽曲の評価が行われる。その結果、例えば優れたソングライターにより作詞・作曲された楽曲を、複数のパフォーマーが演奏した場合に、それら複数のパフォーマーのうちいずれのパフォーマーの演奏による歌唱楽曲データがダウンロードされた場合であっても、そのダウンロード数の総計に応じて歌唱なしの楽曲の評価が行われる。従って、優れたソングライターの作詞・作曲による楽曲が埋没せず評価される可能性が高まるとともに、優れたソングライターによる楽曲提供に恵まれない優れたパフォーマーの才能もまた埋没せずに評価される可能性が高まる。
【００２６】
上記の第５の実施態様にかかる楽曲の評価方法または上記の第１１の実施態様にかかるサーバ装置によれば、例えばサーバ装置からストリーミング配信されるカラオケ仕様の楽曲データに従いパフォーマーの端末装置において順次再生される伴奏楽曲に従いパフォーマーが端末装置に表示される歌詞を見ながら歌唱演奏を行うと、その歌唱演奏の音声を示す歌唱楽曲データがサーバ装置にアップロードされ、歌詞なしの楽曲とパフォーマーによる歌唱演奏がミキシングされる。その結果、パフォーマーは例えばブラウザ機能および発音・拾音機能を有する一般的なPC等の端末装置を用い、他に特別なミキシング等のための音響装置を用いることなく、簡便に歌唱楽曲データをサーバ装置にアップロードすることができる。
【００２７】
上記の第６の実施態様にかかる楽曲の評価方法または上記の第１２の実施態様にかかるサーバ装置によれば、歌唱楽曲データのダウンロードに伴い、その歌唱楽曲の演奏に用いられた歌唱なしの楽曲のデータの提供者であるソングライターに対しダウンロード数に応じた対価が自動的に計算される。その結果、ソングライターによる優れた楽曲の提供が促される。
【００２８】
また、上記の第１３の実施態様にかかるプログラムによれば、外部の通信装置との間でデータの送受信を行う通信手段を備えた一般的なコンピュータを用いて上記の第７乃至第１２のいずれかの実施態様にかかるサーバ装置が実現され、上述した各種効果が得られる。
【図面の簡単な説明】
【００２９】
【図１】図１は、本発明の第１実施例にかかる楽曲評価システムの構成を模式的に示したブロック図である。
【図２】図２は、本発明の第１実施例にかかるサーバ装置の機能構成を示したブロック図である。
【図３】図３は、本発明の第１実施例および第２実施例にかかるユーザＤＢのデータ構成を模式的に示した図である。
【図４】図４は、本発明の第１実施例にかかる楽曲ＤＢのデータ構成を模式的に示した図である。
【図５】図５は、本発明の第１実施例にかかるコメントＤＢのデータ構成を模式的に示した図である。
【図６】図６は、本発明の第１実施例および第２実施例にかかるダウンロード履歴ＤＢのデータ構成を模式的に示した図である。
【図７】図７は、本発明の第１実施例にかかる楽曲紹介ページを模式的に示した図である。
【図８】図８は、本発明の第１実施例にかかる楽曲リンク登録ページを模式的に示した図である。
【図９】図９は、本発明の第１実施例にかかる楽曲リンク紹介ページを模式的に示した図である。
【図１０】図１０は、本発明の第１実施例にかかるランキングページに表示されるランキングを模式的に示した図である。
【図１１】図１１は、本発明の第２実施例にかかる楽曲評価システムの構成を模式的に示したブロック図である。
【図１２】図１２は、本発明の第２実施例にかかる楽曲ＤＢのデータ構成を模式的に示した図である。
【図１３】図１３は、本発明の第２実施例にかかる楽曲紹介ページを模式的に示した図である。
【図１４】図１４は、本発明の第２実施例にかかるプロフィール表示ページを模式的に示した図である。
【図１５】図１５は、本発明の第２実施例にかかるランキングページに表示されるランキングを模式的に示した図である。
【図１６】図１６は、本発明の第２実施例の一変形例にかかる録音ページを模式的に示した図である。
【発明を実施するための形態】
【００３０】
［１．実施例］
以下に本発明の実施例にかかる楽曲評価システムの構成および動作を説明する。
【００３１】
［１．１．第１実施例］
第１実施例にかかる楽曲評価システム１は、音楽アーティスト（以下、単に「アーティスト」と呼ぶ）が自分の演奏した楽曲を示す楽曲データを所定のサーバ装置１１にアップロードし、一般のリスナーが希望する楽曲データをサーバ装置１１からダウンロードすることを可能とするシステムである。そのような楽曲配信システムは既に多くあるが、楽曲評価システム１においては、自ら楽曲を創作しアップロードしたアーティストではないコメンテーターが、自分の注目した楽曲にコメントを付して、楽曲データのダウンロード販売をサポートできる点で既存の楽曲配信システムと異なっている。なお、楽曲評価システム１のユーザは、アーティスト、コメンテーターおよびリスナーのいずれかである。
【００３２】
図１は、楽曲評価システム１の構成を模式的に示したブロック図である。楽曲評価システム１は、ユーザ情報、楽曲情報、ダウンロード履歴情報、課金情報などの各種データを管理するとともに楽曲データの配信を行うサーバ装置１１、アーティストに操作され楽曲データのアップロードを行うアーティスト端末装置１２（第１の端末装置）、コメンテーターに操作され楽曲に関するコメントを示すコメントデータのアップロードを行うコメンテーター端末装置１３（第２の端末装置）、リスナーに操作され楽曲データのダウンロードおよび楽曲の再生を行うリスナー端末装置１４（第３の端末装置）を備えている。
【００３３】
アーティスト端末装置１２、コメンテーター端末装置１３およびリスナー端末装置１４は各々、ネットワーク１９を介してサーバ装置１１との間で各種データの送受信を行うことができる。
【００３４】
図１において、図示されているサーバ装置１１の数は１つであるが、サーバ装置１１は単独の装置として構成されてもよいし、互いに連携し協働する複数の装置の集合体として構成されてもよい。そのような装置の集合体の構成としては、複数の装置の各々がロードバランサーにより配分された同種の処理を行うもの、ネットワーク１９における地域により複数の装置の各々が処理を分担するもの、以下に説明するサーバ装置１１の各種データ処理をその種類に応じて複数の装置が分担するもの、など様々なものが採用可能である。
【００３５】
また、アーティスト端末装置１２、コメンテーター端末装置１３およびリスナー端末装置１４は各々、楽曲評価システム１を利用するアーティスト、コメンテーター、リスナーの数に応じて変化する。図１においては、ｐ個のアーティスト端末装置１２、ｑ個のコメンテーター端末装置１３およびｒ個のリスナー端末装置１４が示されている。ただし、ｐ、ｑおよびｒは各々、任意の自然数である。以下、アーティスト端末装置１２、コメンテーター端末装置１３およびリスナー端末装置１４の各端末装置群の中の個々の端末装置を区別する必要がある場合、例えばアーティスト端末装置１２−１のように枝符号を付してそれらを区別する。
【００３６】
サーバ装置１１は、外部の通信装置との間でデータの送受信が可能な汎用コンピュータに、本発明にかかるプログラムに従った処理を行わせることにより実現される。ただし、それに代えて、いわゆる専用サーバ機として以下の処理を行う装置がハードウェア的に構成されてもよい。
【００３７】
図２は、サーバ装置１１の機能構成を示したブロック図である。サーバ装置１１はその機能構成部として、外部の通信装置（アーティスト端末装置１２、コメンテーター端末装置１３およびリスナー端末装置１４）から送信されてくる各種データを受信する受信部１１１、外部の通信装置に対し各種データを送信する送信部１１２、本発明にかかるプログラムを示すプログラムデータや楽曲データなどの各種データを記憶する記憶部１１３、楽曲の評価を示す楽曲評価ポイントやコメンテーターに対する対価などの算出をはじめ各種演算を行う演算部１１４を備えている。
【００３８】
記憶部１１３には、ユーザ情報を管理するためのＤＢ（Database）であるユーザＤＢ、楽曲情報を管理するためのＤＢである楽曲ＤＢ、コメンテーターによる楽曲に関するコメントを管理するためのＤＢであるコメントＤＢ、楽曲データのダウンロード履歴情報を管理するダウンロード履歴ＤＢが格納されている。
【００３９】
図３は、ユーザＤＢのデータ構成を模式的に示した図である。ユーザＤＢはユーザの各々に関するデータを格納するレコードの集まりである。ユーザＤＢの各レコードは以下の各種データを格納するフィールドを有している。
【００４０】
ユーザＩＤ：ユーザを識別するユーザＩＤ（Identifier）を格納する。
パスワード：ユーザの本人確認を行うためのパスワードを格納する。
端末ＩＤ：ユーザが使用する端末装置がユニークな端末ＩＤの割り当てられた携帯端末装置である場合、その端末ＩＤを格納する。
ユーザ名：ユーザの名前（バンド名、ニックネーム等でも可）を示すテキストデータを格納する。
ユーザ画像：ユーザの写真やイラスト、アバター画像など、ユーザが自分を表示するために選択した画像を示す画像データの格納場所を示すテキストデータを格納する。
プロフィール：ユーザの自己紹介の内容を示すテキストデータを格納する。
保有ポイント：ユーザが楽曲評価システム１を利用するために必要なポイント（購入または印税の支払いにより増加）の残高を示す数値データを格納する。
特別会員期限：ユーザが年間登録料をポイントで支払い特別会員登録を行った場合にその特別会員の有効期限を示す日付データを格納する。（空欄の場合、通常会員）
口座情報：ポイントを換金する際の入金先の口座情報を示すテキストデータを格納する。
【００４１】
図４は、楽曲ＤＢのデータ構成を模式的に示した図である。楽曲ＤＢはアーティストによりアップロードされた楽曲データの各々に関するデータを格納するレコードの集まりである。楽曲ＤＢの各レコードは以下の各種データを格納するフィールドを有している。
【００４２】
楽曲ＩＤ：楽曲データを識別する楽曲ＩＤを格納する。
楽曲データ：楽曲データの格納場所を示すテキストデータを格納する。
ユーザＩＤ：楽曲データをアップロードしたユーザ（アーティスト）を識別するユーザＩＤを格納する。
楽曲タイトル：楽曲のタイトルを示すテキストデータを格納する。
ジャケット画像：楽曲データの紹介に伴い表示されるジャケット画像（通常、楽曲のイメージを表現したイラスト、写真など）を示す画像データの格納場所を示すテキストデータを格納する。
作品紹介：アーティストによる楽曲の紹介の内容を示すテキストデータを格納する。
価格：アーティストにより設定された楽曲データのダウンロード販売における価格を示す数値データを格納する。
リンク許可：コメンテーターによる楽曲紹介を許可するか否かを示すフラグデータ（ＹｅｓまたはＮｏ）を格納する。
アップロード日時：アップロードが行われた日時を示す時刻データを格納する。
【００４３】
図５は、コメントＤＢのデータ構成を模式的に示した図である。コメントＤＢはコメンテーターによりアップロードされた楽曲に関するコメントの各々に関するデータを格納するレコードの集まりである。コメントＤＢの各レコードは以下の各種データを格納するフィールドを有している。
【００４４】
ユーザＩＤ：コメントデータをアップロードしたユーザ（コメンテーター）を識別するユーザＩＤを格納する。
楽曲ＩＤ：コメントの対象の楽曲を示す楽曲データを識別する楽曲ＩＤを格納する。
コメントデータ：コメントの内容を示すテキストデータであるコメントデータを格納する。
【００４５】
なお、コメントデータは、ユーザＩＤと楽曲ＩＤとの組み合わせにより識別される。
【００４６】
図６は、ダウンロード履歴ＤＢのデータ構成を模式的に示した図である。ダウンロード履歴ＤＢは主としてリスナー端末装置１４（アーティスト端末装置１２やコメンテーター端末装置１３も可）による楽曲データのダウンロードの各々に関するデータを格納するレコードの集まりである。ダウンロード履歴ＤＢの各レコードは以下の各種データを格納するフィールドを有している。
【００４７】
日時：ダウンロードが行われた日時を示す時刻データを格納する。
楽曲ＩＤ：ダウンロードされた楽曲を識別する楽曲ＩＤを格納する。
経路：ユーザによるダウンロードのリクエスト操作が行われたページがコメンテーターによる紹介ページ（楽曲リンク紹介ページ）の場合はそのコメンテーターのユーザＩＤを格納する。（それ以外の場合には空欄）
価格：コメンテーターにより設定された楽曲データのダウンロード販売における価格を示す数値データを格納する。
【００４８】
アーティスト端末装置１２、コメンテーター端末装置１３およびリスナー端末装置１４は各々、Ｗｅｂブラウザ機能を備えネットワーク１９を介してサーバ装置１１との間で各種データの送受信が可能な汎用的な端末装置であり、その形態はノートＰＣ、デスクトップＰＣ、携帯電話機等のいずれでもよい。
【００４９】
続いて、楽曲評価システム１の動作を説明する。楽曲評価システム１を利用するユーザは各々、その利用に先立ってサーバ装置１１に対するユーザ登録を行う必要がある。ユーザ登録の手順は広く知られているため詳しい説明は省略するが、例えばアーティスト端末装置１２−１のユーザ（アーティスト）であれば、アーティスト端末装置１２−１を用いてＷｅｂブラウザにおいて指定のＵＲＬ（Uniform Resource Locator）を入力し「移動」ボタンをクリック等することでユーザ登録用ページを表示させ、そのユーザ登録用ページにおいて要求されるユーザＩＤ、パスワード、ユーザ名等の入力を行い、「登録実行」ボタンをクリック等することで、それらの入力されたデータがアーティスト端末装置１２−１からサーバ装置１１に送信され、ユーザＤＢ（図３）に登録される。
【００５０】
その際、アーティスト端末装置１２−１が端末ＩＤの割り当てられた携帯端末装置であれば、その端末ＩＤもアーティスト端末装置１２−１からサーバ装置１１へと送信され、ユーザＤＢに登録される。端末ＩＤがユーザＤＢに登録されている場合、ユーザは楽曲評価システム１の利用に際して通常であれば要求されるユーザＩＤとパスワードの入力による本人確認の操作を要求されない。携帯端末装置は個々のユーザにより携帯されるためその所有者の許可無く所有者以外の誰かにより操作されることは通常ないためである。
【００５１】
また、ユーザは楽曲評価システム１の利用に際してポイントの使用を求められることがある。ポイントとは、例えば１ポイント＝１円の価値を持つ楽曲評価システム１内においてのみ利用可能な疑似通貨である。例えばアーティストは、自分の楽曲をアップロードするために年間登録料を支払い特別会員となる必要がある。同様に、コメンテーターは楽曲に関するコメントをアップロードしアーティストの楽曲のダウンロードを促すために年間登録料を支払い特別会員となる必要がある。それらの年間登録料はポイントにより支払われる。また、全てのユーザは楽曲のダウンロードをする際に、各楽曲のダウンロード価格に応じた料金をその都度支払う必要がある。それらの料金もまた、ポイントにより支払われる。
【００５２】
ユーザがポイントを増加させる最も一般的かつ容易な方法はポイントの購入である。ユーザがポイントを購入する手順は広く知られているため詳しい説明は省略するが、例えばリスナー端末装置１４−１のユーザ（リスナー）であれば、リスナー端末装置１４−１を用いてＷｅｂブラウザにおいて指定のＵＲＬを入力し「移動」ボタンをクリック等することでポイント購入用ページを表示させ、そのポイント購入用ページにおいて要求されるクレジットカード情報等の入力を行い、「購入実行」ボタンをクリック等することで、ポイントの購入が行われる。その際、サーバ装置１１において、購入されたポイントの加算後のポイントを示す数値データでユーザＤＢのそのユーザのレコードの保有ポイントが更新される。
【００５３】
また、アーティストは自分の楽曲がコメンテーターの紹介ページを介さずに他のユーザによりダウンロードされる際に支払われるポイントの一定比率（以下、４０％とする）を印税として獲得することができる。一方、コメンテーターは自分の紹介ページを介していずれかのアーティストの楽曲が他のユーザによりダウンロードされると、その際に支払われるポイントの一定比率（以下、４０％とする）をアーティストに代わって印税として獲得することができる。
【００５４】
上記のようなポイントの増減が発生した場合もまた、サーバ装置１１において、増減後のポイントを示す数値データでユーザＤＢのそのユーザのレコードの保有ポイントが更新される。また、年間登録料のポイントによる支払いが行われた場合、サーバ装置１１において、ユーザＤＢのそのユーザのレコードの特別会員期限がその日より１年後（または、既に特別会員期限が設定されている場合は、その期限日から１年後）を示す日付データにより更新される。
【００５５】
アーティストは自分の楽曲をアップロードしたい場合、自分の楽曲を示す楽曲データおよびその楽曲用のジャケット画像を示す画像データを準備した後、アーティスト端末装置１２にそれを保存した状態で、所定のＵＲＬをＷｅｂブラウザに入力し楽曲評価システム１における自分専用のＷｅｂページ（以下、「マイページ」と呼ぶ）を表示させる。
【００５６】
マイページの表示に先立ち、アーティスト端末装置１２が端末ＩＤの割り当てられた携帯端末装置であれば端末ＩＤがアーティスト端末装置１２からサーバ装置１１に送信され、サーバ装置１１においてユーザＤＢに登録されている端末ＩＤと照合されることにより、アーティストの識別および本人確認が行われる。一方アーティスト端末装置１２が端末ＩＤの割り当てられた携帯端末装置でない場合、ログインページが表示され、アーティストは自分のユーザＩＤおよびパスワードを入力する。入力されたユーザＩＤとパスワードの組み合わせはアーティスト端末装置１２からサーバ装置１１に送信され、サーバ装置１１においてユーザＤＢに登録されているユーザＩＤとパスワードの組み合わせと照合されることにより、アーティストの識別および本人確認が行われる。
【００５７】
アーティストに限らず全てのユーザが楽曲評価システム１を利用する際には、上述した本人確認の処理が行われる。いったん本人確認（ログイン）の処理が完了したユーザに関しては、そのユーザの利用する端末装置とサーバ装置１１との間で通信コネクションが維持されている限り、再度の本人確認は不要である。その間、サーバ装置１１は接続相手の端末装置（すなわち、その端末装置のユーザＩＤ）を通信コネクションのＩＤにより識別することができる。一方、ログアウトや端末装置のリセット等により通信コネクションが切断されると、再度の通信コネクションの確立に伴い再度の本人確認の処理が必要となる。
【００５８】
年間登録料を支払い特別会員の登録を完了しているユーザのマイページには、「楽曲登録」ボタンが表示される。アーティストが「楽曲登録」ボタンをクリック等した後、表示されるページの指示に従い、アーティスト端末装置１２に保存されているアップロード対象の楽曲データおよびジャケット画像の画像データを指定する。また、楽曲タイトル、作品紹介、ダウンロード販売の価格、コメンテーターを介した販売の許可／不許可、の各々に関するデータを入力する。
【００５９】
それらのデータ入力を終えた後、アーティストが画面に表示される「アップロード」ボタンをクリック等すると、その操作に応じて、アーティスト端末装置１２からサーバ装置１１に対し指定された楽曲データ、画像データおよび入力された各種データが送信（アップロード）される。サーバ装置１１はアップロードされた楽曲データおよび画像データを記憶部１１３の所定の格納場所に記憶するとともに、楽曲ＤＢ（図４）に新規レコードを作成し、作成したレコードの対応するフィールドに、楽曲データおよび画像データの保存場所およびアップロードされた楽曲タイトル等のデータを格納する。その際、楽曲ＩＤは所定の規則に従いサーバ装置１１において自動的に付与される。また、ユーザＩＤとしてはアーティストのログイン時にサーバ装置１１が識別したユーザＩＤが格納される。これにより、楽曲データのアップロードが完了する。
【００６０】
アップロードが完了した楽曲に関しては、楽曲評価システム１において予め記憶されている雛形データに従い、図７に模式的に示すような楽曲紹介ページが生成される。楽曲紹介ページには、楽曲タイトル、ジャケット画像、アーティスト名、アーティストのユーザ画像、作品紹介、ダウンロード価格の表示がなされる。また、楽曲紹介ページには、アーティストのプロフィール表示ページに移動するための「プロフィール」ボタン、ユーザが楽曲のダウンロード前に楽曲を試聴するための「試聴」ボタン、ユーザが楽曲をダウンロードするための「ダウンロード」ボタンに加え、この楽曲がリンク許可されている場合には、「紹介ページ」ボタンが表示される。
【００６１】
楽曲紹介ページを表示したユーザが「紹介ページ」ボタンをクリック等すると、この楽曲をコメンテーターが独自のコメントにより紹介するためのページである楽曲リンク紹介ページ（後述）のリスト（コメンテーターリスト）が表示される。楽曲のダウンロードを検討しているユーザがコメンテーターリストから希望するコメンテーターをダブルクリック等で指定すると、指定されたコメンテーターの楽曲リンク紹介ページが表示される。ユーザは楽曲リンク紹介ページからも楽曲の試聴やダウンロードを行うことができる。
【００６２】
コメンテーターはいずれかのアーティストによりアップロードされている楽曲のうちリンク許可のされているものに関し、自分のマイページにその楽曲をリンク登録するとともに、自分のコメントをアップロードし、他のユーザに対しその楽曲を紹介することができる。
【００６３】
コメンテーターは自分のコメントをアップロードしたい場合、所定のＵＲＬをＷｅｂブラウザに入力し自分のマイページを表示させる。
【００６４】
年間登録料を支払い特別会員の登録を完了しているユーザのマイページには、「楽曲リンク登録」ボタンが表示される。コメンテーターが「楽曲リンク登録」ボタンをクリック等すると、例えば図８に模式的に示すような楽曲リンク登録ページが表示される。楽曲リンク登録ページには、リンク許可が設定されている楽曲に関する楽曲タイトルおよびアーティスト名がリスト表示される。
【００６５】
楽曲リンク登録ページにおいて、コメンテーターがいずれかの楽曲を選択し「移動」ボタンをクリック等すると、コメンテーター端末装置１３からサーバ装置１１に選択された楽曲の楽曲ＩＤが送信される。サーバ装置１１は受信した楽曲ＩＤにより識別される楽曲の楽曲紹介ページ（図７）（正確には楽曲紹介ページの表示を指示するＷｅｂページデータ、以下同様）をコメンテーター端末装置１３に送信する。その結果、コメンテーター端末装置１３には選択した楽曲の楽曲紹介ページが表示される。
【００６６】
コメンテーターは楽曲紹介ページにおいて作品紹介を読んだり、楽曲の試聴やダウンロードをしたりすることで、楽曲の内容を確認し、紹介する価値があると判断した場合は楽曲リンク登録ページ（図８）に戻り、対象の楽曲が選択されていることを確認した後、「リンク登録」ボタンをクリック等する。その操作に応じて、コメンテーター端末装置１３にはコメントを入力する画面が表示される。コメンテーターがその画面においてコメントデータを入力した後、「アップロード」ボタンをクリック等すると、入力されたコメントデータが選択された楽曲の楽曲ＩＤとともにコメンテーター端末装置１３からサーバ装置１１へ送信（アップロード）される。
【００６７】
サーバ装置１１はコメントＤＢ（図５）に新規レコードを作成し、作成したレコードの対応するフィールドに、コメンテーター端末装置１３から受信した楽曲ＩＤ等のデータを格納する。その際、ユーザＩＤとしてはコメンテーターのログイン時にサーバ装置１１が識別したユーザＩＤが格納される。これにより、コメントデータのアップロードが完了する。
【００６８】
アップロードが完了したコメントに関しては、楽曲評価システム１において予め記憶されている雛形データに従い、図９に模式的に示すような楽曲リンク紹介ページが生成される。楽曲リンク紹介ページは楽曲紹介ページ（図７）と類似しているが、アーティストに関する情報に加え、コメンテーターに関する情報（コメンテーター名、コメンテーターのユーザ画像、コメンテーターのプロフィール表示ページに移動するための「プロフィール」ボタン）の表示が含まれている。また、楽曲リンク紹介ページにおける作品紹介としては、アーティストによる作品紹介（楽曲ＤＢの作品紹介）ではなく、コメンテーターによるコメント（コメントＤＢのコメントデータ）が表示される。さらに、楽曲紹介ページにおける「紹介ページ」ボタンに代えて、「オリジナルページ」ボタンが表示される。「オリジナルページ」ボタンがクリック等されると、コメンテーター端末装置１３には楽曲紹介ページ（図７）が表示される。
【００６９】
なお、アーティストのプロフィール表示ページには、ユーザＤＢ（図３）に登録されているユーザ名、ユーザ画像およびプロフィールの表示に加え、そのアーティストがアップロードしている楽曲のリストが表示される。リスナー等のユーザはそのリストから試聴等を希望する楽曲をダブルクリック等で選択することで、その楽曲の楽曲紹介ページを表示させることができる。
【００７０】
また、コメンテーターのプロフィール表示ページには、ユーザＤＢ（図３）に登録されているユーザ名、ユーザ画像およびプロフィールの表示に加え、そのコメンテーターがコメントデータをアップロードしている楽曲のリストが表示される。リスナー等のユーザはそのリストから試聴等を希望する楽曲をダブルクリック等で選択することで、その楽曲の楽曲リンク紹介ページを表示させることができる。
【００７１】
上述した手順に従い、複数のアーティストの各々により複数の楽曲に関する楽曲データのアップロードが行われ、また複数のコメンテーターの各々により複数の楽曲に関するコメントデータのアップロードが行われる。その際、同じ楽曲データに対し複数のコメンテーターによるコメントデータがアップロードされる場合もあり得る。
【００７２】
そのように多数の楽曲データおよびコメントデータがアップロードされている状態において、ユーザ（主にリスナーであるため、以下、リスナーであるものとする）は楽曲紹介ページもしくは楽曲リンク紹介ページに表示される情報を参考に楽曲を試聴し、気に入った場合は楽曲のダウンロードを行う。
【００７３】
リスナーがダウンロード候補の楽曲を選択しやすくするために、サーバ装置１１は通常の楽曲配信システムにおいて採用されているような、アーティスト名による検索、楽曲タイトルによる検索、新着順のリスト表示等のページをリスナー端末装置１４に対し送信する。リスナーはそれらのページにおいてダウンロード候補の楽曲を選択し、選択した楽曲の楽曲紹介ページを表示させることで、楽曲の試聴およびダウンロードを行うことができる。また、表示された楽曲紹介ページから楽曲リンク紹介ページに移動した後、楽曲の試聴およびダウンロードを行うこともできる。
【００７４】
リスナーによる楽曲データのダウンロードが行われると、サーバ装置１１においてダウンロード履歴ＤＢ（図６）に新規レコードが作成され、ダウンロードの行われた日時等のデータが格納される。その際、経路としては、楽曲リンク紹介ページにおいてダウンロードが行われた場合にはその楽曲リンク紹介ページのコメンテーターのユーザＩＤが格納され、その他の場合には空欄とされる。
【００７５】
また、サーバ装置１１はリスナー端末装置１４に対し、楽曲データに関するランキングとコメンテーターに関するランキングを表示するランキングページの配信を行う。
【００７６】
図１０はランキングページに表示されるランキングを模式的に示した図である。図１０（ａ）〜（ｃ）は楽曲データに関するランキングであり、図１０（ｄ）〜（ｆ）はコメンテーターに関するランキングである。また、図１０（ａ）および（ｄ）は過去一週間におけるランキング、図１０（ｂ）および（ｅ）は過去一ヶ月間におけるランキング、図１０（ｃ）および（ｆ）は過去一年間におけるランキングである。
【００７７】
これらのランキングは、所定の期間内に行われたダウンロードに伴う獲得ポイントが多い順に楽曲もしくはコメンテーターをリスト化したものである。楽曲評価システム１においては獲得ポイントとして、リスナーから支払われたポイント数の合計が採用されている。例えば、ダウンロード価格が２００ポイントの楽曲データが過去一週間において３００回ダウンロードされた場合、その楽曲データの過去一週間の獲得ポイントは２００×３００＝６０，０００ポイントとなる。また、その３００回のダウンロードのうち、例えばあるコメンテーターの楽曲リンク紹介ページから１００回のダウンロードが行われた場合、そのコメンテーターの獲得ポイントに２００×１００＝２０，０００ポイントが加算されることになる。
【００７８】
サーバ装置１１の演算部１１４は、ダウンロード履歴ＤＢ（図６）に含まれるレコードのうち対象となる期間に含まれる日時を格納しているレコードを抽出し、楽曲ＩＤごとに価格を合算することで楽曲データに関する獲得ポイントを算出する。また、演算部１１４は、ダウンロード履歴ＤＢに含まれるレコードのうち対象となる期間に含まれる日時を格納しているレコードを抽出し、経路（コメンテーターのユーザＩＤ）ごとに価格を合算することでコメンテーターに関する獲得ポイントを算出する。
【００７９】
ここで注目すべきは、図１０（ｃ）に示される楽曲データに関する年間ランキングにおいて、「メジャーデビューに必要な獲得ポイント」という項目が設けられている点である。楽曲評価システム１の運営会社は、年間の獲得ポイントが所定数（以下、例として３，０００，０００ポイントとする）以上となった場合、その楽曲を大手音楽プロダクションからデビューさせることをユーザに対し約束している。「メジャーデビューに必要な獲得ポイント」は、過去一年間の獲得ポイントが３，０００，０００ポイントに対し何ポイント不足しているかを示している。
【００８０】
サーバ装置１１の演算部１１４は図１０（ｃ）に示される年間ランキングの生成において、各楽曲データの獲得ポイントが閾値である３，０００，０００以上であるか否かの判定を行う。その判定において獲得ポイントが３，０００，０００以上であると判定された楽曲データに関しては、「メジャーデビューに必要な獲得ポイント」欄に「メジャーデビュー決定！」といったメッセージの表示を行い、獲得ポイントが３，０００，０００未満である楽曲データに関しては、「メジャーデビューに必要な獲得ポイント」欄に３，０００，０００−（獲得ポイント）により算出される不足ポイント数を表示するように、サーバ装置１１においてランキングページの生成が行われる。
【００８１】
図１０（ａ）〜（ｃ）に示されるランキングにリストアップされている楽曲タイトルの各々は、その楽曲の楽曲紹介ページにリンクされている。従って、リスナーはランキングに示される楽曲タイトルをダブルクリック等で選択することで、選択した楽曲の楽曲紹介ページをリスナー端末装置１４に表示させることができる。
【００８２】
また、図１０（ｄ）〜（ｆ）に示されるランキングにリストアップされているコメンテーター名の各々は、そのコメンテーターのプロフィール表示ページにリンクされている。従って、リスナーはランキングに示されるコメンテーター名をダブルクリック等で選択することで、選択したコメンテーターのプロフィール表示ページをリスナー端末装置１４に表示させることができる。
【００８３】
上述したように、楽曲評価システム１においては、楽曲の提供者であるアーティストによる作品紹介に加え、一般的により客観性が高い第三者であるコメンテーターによるコメントがリスナーに対し提供されるため、リスナーは膨大な数の楽曲の中から比較的容易に優れた楽曲を発掘することができる。その結果、膨大な数の楽曲の中で埋没しがちな優れた楽曲が正当に評価される可能性が高まる。
【００８４】
ところで、上記のような効果を得るためには、コメンテーターから優れたコメントが多数提供される必要がある。そのため、楽曲評価システム１においては、コメンテーターによる楽曲リンク紹介ページ経由で楽曲がダウンロードされた場合、そのダウンロードに伴う印税が楽曲の提供者であるアーティストにではなくコメンテーターに支払われることとなっている。
【００８５】
そのため、サーバ装置１１の演算部１１４は、楽曲データがダウンロードされ、ダウンロード履歴ＤＢ（図６）に新たなレコードが記録されると、そのレコードの経路にユーザＩＤが格納されている場合には、そのユーザＩＤで識別されるレコードをユーザＤＢ（図３）から検索し、検索したレコードの保有ポイントに対し、ダウンロード販売の価格の４０％を加算する。一方、ダウンロード履歴ＤＢに新たに記録されたレコードの経路にユーザＩＤが格納されていない場合には、演算部１１４は楽曲ＩＤにより識別されるレコードを楽曲ＤＢ（図４）から検索し、検索したレコードのユーザＩＤで識別されるレコードをユーザＤＢから検索し、検索したレコードの保有ポイントに対し、ダウンロード販売の価格の４０％を加算する。
【００８６】
なお、アーティストやコメンテーターは、上記のようにダウンロードに伴い増加した保有ポイントを、例えば１，０００ポイント単位で換金することができる。それらのユーザは、ポイントを換金したい場合、アーティスト端末装置１２もしくはコメンテーター端末装置１３を用いてＷｅｂブラウザに所定のＵＲＬを入力してマイページを表示させ、マイページに表示される「換金」ボタンをクリック等し、その後表示されるページにて換金金額を入力し、「換金実行」ボタンをクリック等する。その操作に応じて、アーティスト端末装置１２もしくはコメンテーター端末装置１３からサーバ装置１１に換金金額を示す金額データが送信される。サーバ装置１１は金額データを受信すると、ユーザＤＢ（図３）の該当するユーザのレコードの保有ポイントから金額データにより示される金額と同じ数量のポイントを減算する。その後、サーバ装置１１はそのレコードの口座情報と受信した金額データにより示される金額とを例えば接続されたプリンタから印字する。楽曲評価システム１の運営会社は印字された情報に従い、指定された金額を指定された口座に入金する。なお、この入金処理をサーバ装置１１と銀行のサーバ装置との間で自動的に行わせてもよい。
【００８７】
このように、楽曲評価システム１によれば、楽曲データの評価（獲得ポイント）に加え楽曲データを紹介するコメンテーターの評価（獲得ポイント）が算出されることで、コメンテーターのコメントに導かれリスナーが優れた楽曲に巡り会うことが可能となるとともに、コメンテーターに支払われる印税の算出が自動的に行われ、その支払いが行われるため、優れたコメントの提供が担保される。その結果、多くの楽曲が溢れるネット時代において、無名の優れたコメンテーターにより無名の優れたアーティストによる楽曲の発掘が実現される。
【００８８】
［１．２．第２実施例］
続いて、第２実施例にかかる楽曲評価システム２の構成および動作を説明する。楽曲評価システム２は、作詞・作曲を行うアーティストであるソングライターが自分の作詞・作曲によるオケ楽曲を示すオケ楽曲データを所定のサーバ装置２１アップロードし、演奏を行うアーティストであるパフォーマーが希望するオケ楽曲データをサーバ装置２１からダウンロードし、さらにパフォーマーがオケ楽曲に従って行った演奏を録音して生成された歌唱入り楽曲を示す歌唱楽曲データをサーバ装置２１アップロードし、一般のリスナーにダウンロード可能とするシステムである。
【００８９】
ただし、楽曲評価システム２において、歌唱楽曲データをアップロードしたいユーザは必ずソングライターにより提供されたオケ楽曲を利用しなければならないわけではない。すなわち、アーティストであるユーザが自分で作詞・作曲・演奏した楽曲を録音して作成した歌唱楽曲データをサーバ装置２１にアップロードすることもできる。
【００９０】
なお、オケ楽曲とは伴奏演奏とそれに伴いテロップ表示される歌詞との組み合わせであり、オケ楽曲データには伴奏演奏の録音により得られた音データと、歌詞を示す歌詞データと、それらを同期させるための同期データと、伴奏および歌唱のための楽譜を示す楽譜データが含まれている。
【００９１】
パフォーマーが歌唱者のみである場合、パフォーマーはオケ楽曲に含まれる伴奏演奏を再生しながら歌唱演奏を行い、それらを録音することで歌唱楽曲データを生成することができる。また、パフォーマーが歌唱者に加え伴奏を行う器楽奏者を含むミュージック・バンドである場合、パフォーマーはオケ楽曲で楽曲のイメージを掴んだ後、楽譜データにより示される楽譜に従い器楽奏者が演奏する伴奏に合わせて歌唱者が歌唱演奏を行い、それらを録音することで歌唱楽曲データを生成することができる。
【００９２】
楽曲評価システム２は第１実施例にかかる楽曲評価システム１と多くの点で共通している。従って、以下に楽曲評価システム２が楽曲評価システム１と異なる点を中心に説明を行う。
【００９３】
図１１は、楽曲評価システム２の構成を模式的に示したブロック図である。楽曲評価システム２はユーザ情報、楽曲情報、ダウンロード履歴情報、課金情報などの各種データを管理するとともに楽曲データの配信を行うサーバ装置２１、ソングライターに操作されオケ楽曲データのアップロードを行うソングライター端末装置２２（第１の端末装置）、パフォーマーに操作され歌唱楽曲データのアップロードを行うパフォーマー端末装置２３（第２の端末装置）、リスナーに操作され歌唱楽曲データのダウンロードおよび歌唱入り楽曲の再生を行うリスナー端末装置２４（第３の端末装置）を備えている。
【００９４】
サーバ装置２１、ソングライター端末装置２２、パフォーマー端末装置２３およびリスナー端末装置２４は、第１実施例におけるサーバ装置１１、アーティスト端末装置１２、コメンテーター端末装置１３およびリスナー端末装置１４に各々対応している。
【００９５】
サーバ装置２１はその機能構成部として、受信部２１１、送信部２１２、記憶部２１３および演算部２１４を備えている。これらの機能構成部は、サーバ装置１１に関し図２に示したものと同様であるため、図示を省略する。
【００９６】
記憶部２１３には、ユーザＤＢ、楽曲ＤＢおよびダウンロード履歴ＤＢが記憶されている。ユーザＤＢとダウンロード履歴ＤＢのデータ構成は楽曲評価システム１におけるものと同じであり、各々図３、図４および図６に示されるとおりである。
【００９７】
図１２は、記憶部２１３に記憶されている楽曲ＤＢのデータ構成を模式的に示した図である。記憶部２１３に記憶されている楽曲ＤＢは、記憶部１１３に記憶されている楽曲ＤＢが有するフィールド「リンク許可」を有していない。その一方で、記憶部２１３に記憶されている楽曲ＤＢは、記憶部１１３に記憶されている楽曲ＤＢが有するフィールドに加え、以下のフィールドを有している。
【００９８】
オケ楽曲ＩＤ：楽曲データがオケ楽曲を利用して作成された歌唱楽曲データである場合、そのオケ楽曲の楽曲データの楽曲ＩＤを格納する。（空欄はオケ楽曲データを利用していない楽曲データであることを示す。）
オケ楽曲：楽曲データがオケ楽曲を示すオケ楽曲データであるか否かを示すフラグデータ（Ｙｅｓ／Ｎｏ）を格納する。
【００９９】
ソングライターが自分のオケ楽曲データをサーバ装置２１にアップロードする際の手順は、楽曲評価システム１においてアーティストがサーバ装置１１に楽曲データをアップロードする際の手順と概ね同じである。ただし、楽曲評価システム２においては、楽曲登録において、その楽曲がオケ楽曲であるか否かを示すフラグデータの入力が行われる。そのように入力されたフラグデータは、サーバ装置２１において楽曲ＤＢの該当するレコードの「オケ楽曲」フィールドに格納される。
【０１００】
パフォーマーが自分の歌唱楽曲データをサーバ装置２１にアップロードする際の手順もまた、楽曲評価システム１においてアーティストがサーバ装置１１に楽曲データをアップロードする際の手順と概ね同じである。ただし、楽曲評価システム２においては、アップロードする楽曲がオケ楽曲を利用したものであれば、楽曲登録において、その楽曲の録音に使用したオケ楽曲の楽曲ＩＤの入力が行われる。そのように入力された楽曲ＩＤはサーバ装置２１において楽曲ＤＢの該当するレコードの「オケ楽曲ＩＤ」フィールドに格納される。
【０１０１】
なお、楽曲ＩＤの入力に代えて、例えばパフォーマーがオケ楽曲の提供者のユーザ名（ソングライター名）と楽曲タイトルを入力し、サーバ装置２１においてユーザＤＢおよび楽曲ＤＢからそれらのユーザ名および楽曲タイトルの組み合わせに対応する楽曲ＩＤを特定する構成が採用されてもよい。
【０１０２】
上記のようにパフォーマーによりアップロードされた歌唱楽曲データは、他のアーティストによりアップロードされた通常の楽曲データと同様に、リスナーによりダウンロード可能となる。
【０１０３】
図１３は、オケ楽曲を用いて作成された歌唱楽曲データの楽曲紹介ページを模式的に示した図である。通常の楽曲紹介ページ（図７）と比較し、オケ楽曲を用いて作成された歌唱楽曲データの楽曲紹介ページには、「ソングライター紹介」ボタンが表示される。リスナーが「ソングライター紹介」ボタンをクリック等すると、リスナー端末装置２４には図１４に示されるようなソングライターのプロフィール表示ページが表示される。
【０１０４】
ソングライターのプロフィール表示ページには、通常のアーティストのプロフィール表示ページに表示されるものと同じ自分がアップロードしている楽曲のリスト（図１４の左側のリスト）に加え、その右に自分のオケ楽曲を用いて作成され他のユーザ（パフォーマー）によりアップロードされている楽曲のリスト（図１４の右側のリスト）が表示される。
【０１０５】
リスナーは、左側のリストに表示される楽曲タイトルをダブルクリック等することで、その楽曲の楽曲紹介ページを表示させることができる。また、リスナーは、左側のリストに表示される楽曲タイトルに「オケ楽曲」と書かれている場合には、その楽曲タイトルをクリック等により選択することで、右側のリストにそのオケ楽曲を用いてパフォーマーにより演奏されアップロードされている歌唱入り楽曲の楽曲タイトルを表示させることができる。その状態でリスナーが右側のリストのいずれかの楽曲タイトルをダブルクリック等すると、その楽曲の楽曲紹介ページを表示させることができる。
【０１０６】
楽曲評価システム２においては、ソングライターによりアップロードされた同じオケ楽曲を用いて、異なるパフォーマーが各々に歌唱入り楽曲を演奏し、それを録音して得られる歌唱楽曲データをアップロードすることができる。それらの歌唱入り楽曲は楽曲ＤＢ（図１２）のオケ楽曲ＩＤが共通しており、それらの楽曲タイトルもまた共通している。
【０１０７】
楽曲評価システム２においては、例えば次に述べる規則で楽曲の評価が行われる。まず、評価の指標としてダウンロード数×ダウンロード価格により算出される獲得ポイントは歌唱入り楽曲の各々に関して算出されるとともに、オケ楽曲に関しては、そのオケ楽曲を用いて演奏された歌唱入り楽曲により獲得された獲得ポイントの合計値がそのオケ楽曲の獲得ポイントとして算出される。すなわち、楽曲タイトル毎に獲得ポイントの算出が行われる。
【０１０８】
そして、そのように楽曲タイトル毎に算出された年間の獲得ポイントが閾値である３，０００，０００ポイント以上となると、第１実施例における場合と同様に、その楽曲がメジャーデビューできることが約束されている。その際、３，０００，０００ポイント以上を獲得した楽曲がオケ楽曲を用いた複数の歌唱入り楽曲のグループであった場合、そのグループの中で最も多くのポイントを獲得したパフォーマーの演奏による楽曲がメジャーデビューできることになる。
【０１０９】
図１５は、楽曲評価システム２におけるランキングページに表示されるランキングを模式的に示した図である。図１５（ａ）は過去一週間におけるランキング、図１５（ｂ）は過去一ヶ月間におけるランキング、図１５（ｃ）は過去一年間におけるランキングである。図１５に示されるように、ランキングには楽曲タイトル毎に算出された獲得ポイントが多い順にその楽曲タイトルが表示される。そして、それらの楽曲タイトルのうちオケ楽曲であるものに関しては、パフォーマー毎の獲得ポイントが内訳として、やはり獲得ポイントが多い順に表示される。
【０１１０】
また、楽曲評価システム２においては、例えば次に述べる規則でソングライターおよびパフォーマーに印税が算出され支払われる。まず、パフォーマーは通常のアーティストと同様に、自分の歌唱入り楽曲がダウンロードされると、そのダウンロードに対しリスナーから支払われる料金の４０％を印税として受け取ることができる。一方、ソングライターは自分のオケ楽曲がダウンロードされると、そのダウンロードに対しパフォーマー（リスナーがカラオケ楽曲としてダウンロードすることも可）から支払われる料金の３０％を印税として受け取ることができる。
【０１１１】
以上説明したように、楽曲評価システム２によれば自ら演奏を行うのは苦手なソングライターが、任意のパフォーマーによる演奏を介して自分の楽曲を世に出すことができる。また、それらの任意のパフォーマーにより演奏された歌唱入り楽曲のダウンロード数に基づく評価（獲得ポイント）に応じて、自分の楽曲をメジャーデビューさせるチャンスも与えられる。それは同時に、作詞・作曲は苦手な演奏者であるパフォーマーがメジャーデビューを果たすチャンスを得ることにもなる。すなわち、楽曲評価システム２によれば、従来のシステムにおいてはお互いに埋没していたソングライターとパフォーマーが楽曲を通して出会い、優れた作品を生み出すためのインフラが提供される。
【０１１２】
［２．変形例］
上述した実施例は本発明の技術的思想の範囲内において様々に変形することができる。以下にそのような変形の例を示す。
【０１１３】
上述した楽曲評価システム２においては、パフォーマーはオケ楽曲データをサーバ装置２１からパフォーマー端末装置２３にダウンロードした後、いったんサーバ装置２１からログアウトし、オケ楽曲に従った演奏をミキサーやレコーダー等の音響機器を用いて録音し歌唱楽曲データを作成した後、再度、サーバ装置２１にログインして歌唱楽曲データのアップロードを行う。これに代えて、パフォーマーがパフォーマー端末装置２３において再生されるオケ楽曲に合わせて歌唱演奏を行い、パフォーマー端末装置２３においてレコーディングおよび歌唱楽曲データのアップロードを可能とする構成が採用されてもよい。
【０１１４】
そのような変形例の場合、例えばオケ楽曲の楽曲紹介ページには、「ダウンロード」ボタンに代えて、もしくはそれに加えて、「録音」ボタンが表示される。パフォーマーは例えばマイクとヘッドフォンをパフォーマー端末装置２３に接続した状態で希望のオケ楽曲の楽曲紹介ページにて「録音」ボタンをクリック等する。その操作に応じて、サーバ装置２１からパフォーマー端末装置２３に対しオケ楽曲データがダウンロードされ、パフォーマー端末装置２３に一時的に記憶されるとともに、パフォーマー端末装置２３には、そのオケ楽曲データを用いた録音ページが表示される。
【０１１５】
図１６は、録音ページを模式的に示した図である。録音ページには、楽譜表示部３０１と、複数回の録音（テイク）により記録された歌唱演奏を示す歌唱音データがバー表示で配置されるトラック表示部３０２と、楽曲全体を示すバー表示上に配置された移動可能なカーソル表示により現在の表示位置を示す楽曲スクロール部３０３と、録音開始等を指示するためのボタンが配置された操作部３０４が含まれている。なお、図１６には、パフォーマーが歌唱演奏の録音を５回（Ｔａｋｅ  １〜Ｔａｋｅ  ５）まで行うことができる場合が例示されている。
【０１１６】
パフォーマーが操作部３０４の「録音開始」ボタンをクリック等すると、パフォーマー端末装置２３はオケ楽曲データに含まれる音データに従い伴奏音を再生し、ヘッドフォンから発音を行う。同時に、パフォーマー端末装置２３は同期データに従い、楽譜データおよび歌詞データにより示される楽譜および歌詞を楽譜表示部３０１に自動スクロール表示する。パフォーマーが楽譜表示部３０１に表示される楽譜および歌詞を見ながらヘッドフォンから聞こえてくる伴奏に合わせて歌唱演奏を行うと、マイクにより拾音された音がパフォーマー端末装置２３において録音され、歌唱音データとして記録される。例えば、それが第ｎ回目（ｎは１〜５の自然数）の録音であれば、記録された歌唱音データを示すバーがトラック表示部３０２の「Ｔａｋｅ  ｎ」のトラックに表示される。
【０１１７】
なお、トラック表示部３０２に示される縦線は、楽曲が一連のフレーズで区切れる部分を示している。なお、フレーズの切れ目を示すデータは、例えば楽譜データの一部としてオケ楽曲データに予め含まれている。
【０１１８】
パフォーマーは歌唱演奏の録音（各テイク）を終えると、再生したい歌唱部分を示すバーをトラック表示部３０２においてクリック等して選択した後、操作部３０４の「再生」ボタンをクリック等すると、選択されたバーに対応する歌唱音データに従い歌唱音が、伴奏とともに再生される。パフォーマーはヘッドフォンから聞こえるそれらの音を聴き、自分の演奏内容を確認する。
【０１１９】
なお、トラック表示部３０２におけるバーの選択はテイク毎かつフレーズ毎に行うことができる。従って、例えば５回のテイクの全てが完了した状態であれば、第１フレーズは２回目のテイク、第２フレーズは４回目のテイク、第３フレーズは１回目のテイク・・・のように、各テイクから最も気に入った演奏をフレーズ毎に選択することで、パフォーマーはそれらを繋ぎ合わせた演奏を聴くことができる。
【０１２０】
パフォーマーは全てのテイクを完了し、必要に応じて気に入った演奏をフレーズ毎に各テイクから選択した後、それらを繋ぎ合わせた演奏を確認して納得がいった場合には、操作部３０４の「アップロード」ボタンをクリック等する。この操作に応じて、パフォーマー端末装置２３は各テイクの歌唱音データのうち選択されたフレーズ部分を時系列的に連結した歌唱音データを生成し、サーバ装置２１に送信する。
【０１２１】
サーバ装置２１の演算部２１４は、パフォーマー端末装置２３から受信した歌唱音データにより示される歌唱音とオケ楽曲データに含まれる音データにより示される伴奏音とを合成することにより歌唱入り楽曲を示す歌唱楽曲データを生成し、所定の場所に記憶するとともに、その歌唱楽曲データに関するデータを楽曲ＤＢ（図１２）に登録する。これにより、オケ楽曲を用いた歌唱楽曲データのアップロードが完了する。
【０１２２】
なお、上記の一連のレコーディング作業において、パフォーマー端末装置２３とサーバ装置２１の通信コネクションは維持されている。そのため、パフォーマーが歌唱入り楽曲の演奏に用いたオケ楽曲の楽曲ＩＤを入力しなくとも、サーバ装置２１はいずれのオケ楽曲データが利用されたかを識別することができる。
【０１２３】
上記の変形例によれば、パフォーマーはマイクとヘッドフォンをパフォーマー端末装置２３に接続するだけで、簡便に歌唱楽曲データの生成およびアップロードを行うことができる。
【０１２４】
なお、上記の変形例においては、伴奏音と歌唱音との合成（ミキシング）処理はサーバ装置２１において行われるものとしたが、その処理がパフォーマー端末装置２３において行われる構成が採用されてもよい。
【０１２５】
また、上記の変形例は、一般的なＷｅｂブラウザにおいて解釈・実行可能なＪａｖａ（登録商標）スクリプトのようなスクリプト言語により記載されたプログラムがＷｅｂページデータに伴いサーバ装置２１からパフォーマー端末装置２３に送信され、パフォーマー端末装置２３がそのプログラムに従った処理を行うことにより実現されてもよいし、パフォーマー端末装置２３が専用のＷｅｂブラウザプログラム等のアプリケーションプログラムに従った処理を行うことにより実現されてもよい。
【０１２６】
上述した第２実施例においては、オケ楽曲データは楽譜データ、歌詞データ、同期データおよび伴奏音を示す音データを含むものとしたが、これらの構成はこれに限られず、例えばオケ楽曲データが楽譜データを含まず歌詞データ、同期データおよび音データのみを含んでもよいし、ミュージック・バンド用のオケ楽曲データであれば、楽譜データおよび歌詞データのみを含んでもよい。
【０１２７】
上述した第１実施例および第２実施例において説明した獲得ポイント（評価の指標）の算出方法は一例であって、他の様々な算出方法が評価の指標の算出方法として採用可能である。例えば、支払われた価格ではなく、ダウンロード数を評価の指標としてもよい。
【０１２８】
また、上述した第１実施例および第２実施例において説明した印税（対価の金額）の算出方法は一例であって、他の様々な算出方法が対価の金額の算出方法として採用可能である。例えば、第１実施例においては、楽曲リンク紹介ページから楽曲データのダウンロードが行われた場合、その印税の全てがコメンテーターに支払われるものとしたが、例えばその印税の一定比率がアーティストに支払われるようにしてもよい。同様に、第２実施例においては、オケ楽曲を利用して作成された歌唱楽曲データがダウンロードされた場合、その印税の全てがパフォーマーに支払われるものとしたが、例えばその印税の一定比率がソングライターに支払われるようにしてもよい。
【０１２９】
また、上述した実施例および変形例の説明において用いた数値やページのデザイン、データベースのデータ構成等は一例であって、任意に変更可能である。例えば、メジャーデビューに要する獲得ポイント数やその期間、ダウンロードの価格等は任意に変更可能である。また、楽曲を識別する際に楽曲ＩＤを用いる代わりにその楽曲の提供者のユーザＩＤと楽曲タイトルの組み合わせを用いる、楽曲ＩＤと楽曲データとの対応付けを楽曲データの格納場所データ（フルパス名）を介して間接的に対応付ける、といったように、同一の結果をもたらす様々なデータ構成が採用可能である。
【０１３０】
また、上述した第１実施例と第２実施例を組み合わせてもよい。その場合、ソングライターとパフォーマーのコラボレーションにより生み出された優れた楽曲が、コメンテーターによりリスナーに紹介され、ヒットに導かれることになる。
【産業上の利用可能性】
【０１３１】
本発明は、楽曲データ配信サービスを提供するサービス業において広く利用可能であるとともに、新人アーティストの発掘に寄与することで、音楽ビジネス全般に貢献する。
【符号の説明】
【０１３２】
１…楽曲評価システム、２…楽曲評価システム、１１…サーバ装置、１２…アーティスト端末装置、１３…コメンテーター端末装置、１４…リスナー端末装置、１９…ネットワーク、２１…サーバ装置、２２…ソングライター端末装置、２３…パフォーマー端末装置、２４…リスナー端末装置、１１１…受信部、１１２…送信部、１１３…記憶部、１１４…演算部、２１１…受信部、２１２…送信部、２１３…記憶部、２１４…演算部
【図１】
2012220744.tif 000003
【図２】
2012220744.tif 000004
【図３】
2012220744.tif 000005
【図４】
2012220744.tif 000006
【図５】
2012220744.tif 000007
【図６】
2012220744.tif 000008
【図７】
2012220744.tif 000009
【図８】
2012220744.tif 000010
【図９】
2012220744.tif 000011
【図１０】
2012220744.tif 000012
【図１１】
2012220744.tif 000013
【図１２】
2012220744.tif 000014
【図１３】
2012220744.tif 000015
【図１４】
2012220744.tif 000016
【図１５】
2012220744.tif 000017
【図１６】
2012220744.tif 000018